(57)【要約】      （修正有）【課題】水を吸込んだモップの切り作業を楽に行うことができるモップ装置を提供する。【解決手段】清掃部３と、握り棒２と、握り棒に遊嵌している内スリーブ４１及び該内スリーブの下端部に形成された内歯歯車を備えた受け座と、受け座に遊嵌し、第１の中心歯車が形成された第１のカム対偶５と、第１のカム対偶に遊嵌していて第１のカム対偶の長手沿いに摺動すると第１のカム対偶を回転駆動させるスリーブ状第２のカム対偶９と、握り棒に外嵌され、受け座が選択的に握り棒に対して回転をしないように係止することができる定位部材８と、清掃部の上部が固定された歯車セット６１を有する連動手段６と、からなり、該内歯歯車が内歯太陽歯車、該第１の中心歯車が外歯太陽歯車として、歯車セットと併せて遊星歯車機構を構成し、水切りをしたいときは定位部材が受け座を回転不能に係止すると、該遊星歯車機構が第１のカム対偶の回転に伴って受け座に対して回転する。【選択図】図２
0003125039.tif 000002
【実用新案登録請求の範囲】
【請求項１】
吸水性を有する清掃部と、
棒状に延伸してなり、長手沿いの下端部に前記清掃部の下部が固定されている握り棒と、
前記握り棒に外周から入れ子状に遊嵌している内スリーブ及び該内スリーブの下端部に所定間隔をおいて外周を囲むように形成された内歯歯車を備えた受け座と、
スリーブ状をして前記受け座に外から入れ子状に遊嵌し、その下端部に第１の中心歯車が形成されている第１のカム対偶と、
前記第１のカム対偶に外から入れ子状に遊嵌していて前記第１のカム対偶の前記長手沿いに摺動すると前記第１のカム対偶を回転駆動させるスリーブ状第２のカム対偶と、
前記握り棒に外嵌され、前記受け座が選択的に前記握り棒に対して回転をしないように係止することができる定位部材と、
その上端側に前記清掃部の上部が固定されている歯車セットを有している連動手段と、からなり、
該内歯歯車が内歯太陽歯車、該第１の中心歯車が外歯太陽歯車として、前記歯車セットと併せて遊星歯車機構を構成し、水切りをしたいときは前記定位部材が前記受け座を回転不能に係止すると、該遊星歯車機構が前記第１のカム対偶の回転に伴って前記受け座に対して回転するモップ装置。
【請求項２】
前記受け座は、前記内スリーブの下端から径方向の外側へ円板状つばが張出され、
前記円板状つばの周縁に、環状フェンスが上方に立ち上がり設けられ、
前記歯車セットが、前記内スリーブを中心として前記円板状つばと前記フェンスとからなる空間内に収容され、前記内歯歯車は前記環状フェンスの内周面に形成されていることを特徴とする請求項１に記載のモップ装置。
【請求項３】
前記歯車セットは、浅い皿状の第１の歯車座と、前記第１の歯車座の下方に配置されている第２の歯車座と、該第２の歯車座の下側に枢設されて前記第１のカム対偶の前記第１の中心歯車と前記受け座の前記内歯歯車間に介在し、且つ両方と噛み合う少なくとも一つの第１の遊星歯車と、前記第２の歯車座と一体且つ該第２の歯車座の上側の中央部に形成されている第２の中心歯車と、該第１の歯車座の下側に枢設されて前記第２の歯車座の前記第２の中心歯車及び前記受け座の前記内歯歯車間に介在し、かつ両方と噛み合う少なくとも一つの第２の遊星歯車とにより構成することを特徴とする請求項２に記載のモップ装置。
【請求項４】
前記受け座の前記第１のカム対偶の上端側より伸出している上端外周部に輪歯車をした第１の制限部が形成され、前記第１のカム対偶の上端外周部につめ歯車が形成された第１の歯止部が形成され、
前記定位部材は、その中空内腔が上、中、下段に分けられ、
該上段は小径部を有し、前記握り棒に嵌合で回転不能に構成されており、
該下段は、大径部で前記受け座及び前記第１のカム対偶の上端部が挿入できるように下方に開口し、
該中段の内表面には、前記第１の制限部と噛み合って前記受け座を回転不能に係止する内歯歯車状をした第２の制限部が形成され、
該下段には、前記第１の歯止部に対応して前記第１のカム対偶を通常所定方向に回転させる第２の歯止部が設けられていることを特徴とする請求項３に記載のモップ装置。
【請求項５】
前記握り棒には、前記定位部材が摺動できる案内部が設けられ、該案内部は円形以外の断面形状をし、前記定位部材の上段には該案内部の断面形状に対応する断面形状をして上端に開口が形成されていることを特徴とする請求項４に記載のモップ装置。
【考案の詳細な説明】
【技術分野】
【０００１】
本考案は、床面などの清掃用モップ装置に関し、特に、ヘッド部の水を吸い込んだ繊維のモップを手を濡らさずに水気を絞り取ることができるモップ装置に関する。
【背景技術】
【０００２】
従来、多数布条繊維をゆるく束ねたモップであるヘッド部を水に浸し、水を吸ったヘッド部を手を濡らさずに堅絞りし、床の塵などの汚れを拭取るモップ装置として、例えば図１１、図１２に示す脱水機能付きモップ装置１００がある。（特許文献１参照）
【０００３】
モップ装置１００は、図示の如く、細長な握り棒１２０の長手沿い上端部に握り部１１０を一体に固定し、下端部に第１の連結部材１５０が固定され、第１の連結部材１５０にヘッド部１６０が取り巻くと共にその下部を連結してなる。外周面に複数のカム突起１４１、１４１、・・・が螺旋状配置に突設されたカム筒１４０が握り棒１２０に遊嵌され、カム筒１４０の下端部に第２の連結部材１７０が設けられ、ヘッド部１６０の上部が第２の連結部材１７０に固定されている。滑り管１３０はカム筒１４０に遊動可能に外嵌され、その内周面にカム突起１４１、１４１、・・・が滑り自在に嵌まる螺旋状カム溝１３１が形成されている。
【０００４】
使用時、片手で握り部１１０を握り、他方の手で常時自重でカム筒１４０の下部に落ちている滑り管１３０を長手方向に沿って引き上げて、カム突起１４１、１４１、・・・をカム溝１３１沿いに滑り移動させ、カム筒１４０を長棒１２０周りに回転させる。したがって、ヘッド部１６０は上部を下部に対して捩ることにより吸取った水を切ることができる。
【特許文献１】台湾実用新案Ｍ２８４３５３号公報
【考案の開示】
【考案が解決しようとする課題】
【０００５】
しかしながら、上記モップ装置１００によれば手を濡らさずにヘッド部の水を絞り取る作業を行うことができるが、握り部１１０をしっかり握り、且つ滑り管１３０を力強く引き上げるために力を入れなければならず、作業者が疲れ易く、清掃作業を効率的に行えない。
【０００６】
本考案は、上記問題点に鑑みてなされたものであり、水を吸込んだモップの切り作業を楽に行うことができるモップ装置を提供することを目的とする。
【課題を解決するための手段】
【０００７】
本考案のモップ装置は、繊維性モップで構成されて吸水性を有する清掃部と、棒状に延伸して長手方向の下端部に清掃部の下部が固定されている握り棒と、握り棒に外周から入れ子状に遊嵌している内スリーブ及び該内スリーブの下端部に所定間隔をおいて外周を囲むように形成された内歯歯車を備えた受け座と、スリーブ状をして受け座に外から入れ子状に遊嵌し、その下端部に第１の中心歯車が形成されている第１のカム対偶と、第１のカム対偶に外から入れ子状に遊嵌していて第１のカム対偶の前記長手沿いに摺動すると第１のカム対偶を回転駆動させるスリーブ状の第２のカム対偶と、握り棒に外嵌され、受け座が選択的に握り棒に対して回転をしないように係止することができる定位部材と、その上端部に清掃部の上部が固定されている歯車セットを有している連動手段と、からなり、該内歯歯車が内歯太陽歯車、該第１の中心歯車が外歯太陽歯車として、歯車セットと併せて遊星歯車機構を構成し、水切りをしたいときは定位部材が受け座を回転不能に係止すると、該遊星歯車機構が前記第１のカム対偶の回転に伴って前記受け座に対して回転するモップ装置を提供することができる。
【０００８】
また、前記受け座は内スリーブの下端から径方向の外側へ円板状つばが張出され、円板状つばの周縁に環状フェンスが上方に立ち上がり設けられ、歯車セットが、内スリーブを中心として円板状つばとフェンスとからなる空間内に収容され、内歯歯車は環状フェンスの内周面に形成されているように構成することが好ましい。
【０００９】
また、前記歯車セットは、浅い皿状の第１の歯車座と、第１の歯車座の下方に配置されている第２の歯車座と、該第２の歯車座の下側に枢設されて第１のカム対偶の第１の中心歯車と受け座の内歯歯車間に介在し、且つ両方と噛み合う少なくとも一つの第１の遊星歯車と、第２の歯車座と一体且つ該第２の歯車座の上側の中央部に形成されている第２の中心歯車と、該第１の歯車座の下側に枢設されて前記第２の歯車座の第２の中心歯車及び受け座の内歯歯車間に介在し、かつ両方と噛み合う少なくとも一つの第２の遊星歯車とにより構成することもできる。
【００１０】
上記モップ装置において、受け座の第１のカム対偶の上端より伸出している上端外周部に輪歯車をした第１の制限部が形成され、第１のカム対偶の上端外周部につめ歯車が形成された第１の歯止部が形成され、定位部材はその中空内腔が上、中、下段に分けられ、該上段は小径部を有し前記握り棒にスプラインと溝の嵌合などの形で回転不能に構成されており、該下段は大径部で受け座及び第１のカム対偶の上端部が挿入できるように下方に開口し、更に該中段の内表面には第１の制限部と噛み合って受け座を回転不能に係止する内歯歯車状をした第２の制限部が形成されており、そして該下段には第１の歯止部に対応していて第１のカム対偶を通常所定方向に回転させるように構成される第２の歯止部が設けられていることが好ましい。
【００１１】
上記モップ装置において、握り棒には定位部材が摺動できる案内部が設けられ、該案内部は円形以外の断面形状をし、定位部材の上段には案内部の断面形状に対応する断面形状をして上端に開口が形成されていることが好ましい。
【考案の効果】
【００１２】
上記構成によって、本考案のモップ装置は、水を含んだ掃除部の水切り作業を楽に行うことができるモップ装置を提供することを目的とする。
【考案を実施するための最良の形態】
【００１３】
本考案のモップ装置の第１の及び第２の実施形態について、図示を参照に次のように説明する。
【００１４】
まず図１と図２を用いて、本考案のモップ装置の第１の実施形態の構成について説明する。図１は本考案のモップ装置の第１の実施形態の分解立体図で、図２はそのモップ装置の局部縦断側面図である。
【００１５】
図示のように、モップ装置は清掃部３と、握り棒２と、固定手段７と、受け座４と、第１のカム対偶５と、第２のカム対偶９と、定位部材８と、連動手段６と、から構成されている。
【００１６】
握り棒２と掃除部３と固定手段７がモップの本体を構成し、受け座４と、第１のカム対偶５と、第２のカム対偶９と、定位部材８と、連動手段６とが水絞り手段として構成する。
【００１７】
握り棒２は、棒状に延伸して本考案のモップ装置の中心となる部材で、その上端部２２に握り７０が固定されている。また固定手段７の第２の固定部７２、７３は握り棒２の下端部２１に固定され、掃除部３の下端３２は第２の固定部７２、７３により挟まれることで握り棒２に固定されている。また、握り棒２の上端に近い位置の表面には環状の凹部２４が環設されており、凹部２４以下の部分は定位部材８が摺動できる案内部２３となる。ちなみに、案内部２３は円形以外の断面をしている。
【００１８】
掃除部３は、通常木綿や不織布などの繊維材料からなり、この実施形態では複数の木綿糸が撚りで構成された複数のモップ糸を束ねてなったものを使用する。
【００１９】
受け座４は、握り棒２に入れ子状に遊嵌されている内スリーブ４１と、内スリーブ４１の下端から径方向の外側へ張出された円板状つば４２１と、円板状つば４２１の周縁上方へ立ち上がり設けられている環状フェンス４２２とからなったものである。また、内スリーブ４１の上端外周面には第１の制限部４３としてのスプラインが形成され、内スリーブ４１を中心として円板状つば４２１とフェンス４２２とからなる空間内に連動手段６が収容されている。更に、環状フェンス４２２の内周面には内歯歯車６２２が形成されている。
【００２０】
第１のカム対偶５は、受け座４上に可動的に入れ子状に嵌められているスリーブ状の外スリーブ５１が本体として、その表面には互いに平行して螺旋状延伸の一対のカム溝５３、５３と、その上端にはつめ歯車を環設させてなる第１の歯止部５４及び環状の輪溝５４１と、その下端には第１の中心歯車６２１が形成されている。この外スリーブ５１の長さは内スリーブ４１の長さに対応して、その下端にある第１の中心歯車６２１が受け座４の円板状つば４２１に当接し、その上端にある第１の歯止部５４は受け座４の第１の制限部４３のすぐ下に階段状になり、そして外スリーブ５１は内スリーブ４１対して摺動不能に構成されている。
【００２１】
第２のカム対偶９は、外スリーブ５１上に入れ子状に嵌められていてその内周面に突設されている一対のカム突起９１、９１がカム溝５３、５３に嵌め込んでおり、第１のカム対偶５に対する前記長手方向上の摺動が第１のカム対偶５を回転駆動させることができる。
【００２２】
定位部材８についての説明は、更に図３と図４をも参照して行う。図３は図１中、要部の定位部材近傍、握り棒２及び受け座４、第１のカム対偶５との関係を拡大して示す図である。図４は図２におけるＩＶ−ＩＶ線に沿った横断面図、第２の歯止部の構成を示す図である。
【００２３】
定位部材８は、小径部と大径部を有している両方開口の中空スリーブ体で、握り棒２により挿通され受け座４より上方の位置に取付けられており、その中空内腔が上、中、下段に分けられることができる。その上段は、小径部で案内部２３の断面に対応する円形でない断面をした開口８１１が形成されているので、握り棒２に対して回転不能になっているが、前記長手方向に沿った摺動は可能である。更に、開口８１１の内表面には、固定突起８４が突設されており、この固定突起８４が握り棒２の表面にある凹部２４と係合すれば、定位部材８の前記摺動をも制止することができる。その下段は、大径部で内スリーブ４１及び外スリーブ５１の上端はこの大径部の開口に挿入することができる。また、前記中段の内表面には、第１の制限部４３のスプラインと噛み合うことで内スリーブ４１の回転を不能に係合する内歯歯車状をした第２の制限部８２が形成されており、そして前記下段、即ち第２の制限部８２のすぐ下には第１の歯止部５４に対応していて外スリーブ５１を前記所定方向の反対方向に回転させるように構成される第２の歯止部８３が設けられている。定位部材８の中、下段の第２の制限部８２及び第２の歯止部８３は、第１の制限部４３及び第１の歯止部５４に対応して、階段状に配置構成されている。
【００２４】
定位部材８の下段に設けられた第２の歯止部８３は、図３に示すように、定位部材８の表面に形成されている開口８３０と、その開口８３０に枢設されているラチェット８３１と、その両端がそれぞれラチェット８３１の一端の内表面と定位部材８の内表面に当接して付勢力を与えているばね手段８３２とを有している。開口８３０は、定位部材８の表面を貫通するように開けられており、開口８３０に枢設されているラチェット８３１の一端（一部分）はばね手段８３２の付勢力の作用によって定位部材８の外表面に突出し、他端はそれに従って開口８３０の内側に突入している。ラチェット８３１の他端には第１の歯止部５４のつめ歯車と噛み合って外スリーブ５１を前記所定方向の反対方向に回転させる直歯８３３と、係止突起８３４が突設されている。直歯８３３によって、ラチェット８３１は常時に第１の歯止部５４の前記つめ歯車と噛み合って外スリーブ５１の前記所定方向の反対方向への回転を制止し、そしてラチェット８３１の突出している一端が押されるとばね手段８３１が圧縮され、ラチェット８３１の直歯８３２が形成されている他端は引き上げられて第１の歯止部５４のつめ歯車との噛み合いは解除される。また、係止突起８３４によって、ラチェット８３１の直歯８３２が前記輪歯車と噛み合う時に係止突起８３４も第１の歯止部５４の下にある輪溝５４１に嵌め込んで外スリーブ５１の定位部材８に対し前記長手方向における移動を制止することができる。
【００２５】
定位部材８は、この構成によって、内スリーブ４１の第１の制限部４３及び外スリーブ５１の第１の歯止部５４が定位部材８に挿入してそれぞれの第２の制限部８２及び第２の歯止部８３と噛み合うと、外スリーブ５１の定位部材８及び握り棒２に対して回転不能に係合され、そして内スリーブ４１も外スリーブ５１に対し長手方向での摺動が不能になっているので、定位部材８に対して移動不能になり、そして、外スリーブ５１の定位部材８に対する回転は第１の歯止部５４及び第２の歯止部８３の噛み合いによって制止され、第２のカム対偶９が前記長手方向に沿って下方から上方へ摺動する時に作動される所定の回転方向のみが可能である。
【００２６】
連動手段６についての説明は、図１、図２及び図５を併せて参照して行う。図５は図２におけるＶ−Ｖ線に沿った横断面図である。
【００２７】
図１に示すように、連動手段６は浅い皿状の第１の歯車座６１１と、第２の歯車座６１２、第１の遊星歯車６１３と、第２の遊星歯車６１４と、第２の中心歯車６１５とからなる歯車セット６１により構成されている。また、歯車セット６１全体は外スリーブ５１と内歯歯車６２２の間に配置されてギアケース（収容空間）４２内に収容されている。その構成を図２を参照して更に詳しく説明すると、第１の、第２の歯車座６１１、６１２の中心部には外スリーブ５１に対応しそれを経由して外スリーブ５１により挿通されることが出来る開口が形成されている。第２の歯車座６１２は遊星キャリアとして三つの第１の遊星歯車６１３、６１３、６１３をその下側で枢設し、第１の歯車座６１１も遊星キャリアとして三つの第２の遊星歯車６１４、６１４、６１４をその下側で枢設し、第２の中心歯車６１５は第２の歯車座６１２の上側に、且つ第２の歯車座６１２の中心部にある開口の周縁に沿って形成されている。第１の歯車座６１１及び第２の歯車座６１２の中心部にある開口は外スリーブ５１により回転できるように挿通され、外スリーブ５１の下端に形成されている第１の中心歯車６２１は外歯太陽歯車として三つ第１の遊星歯車６１３、６１３、６１３と噛み合い、三つ第１の遊星歯車６１３、６１３、６１３は更に内歯太陽歯車としての内歯歯車６２２と噛み合っている。更に、第２の中心歯車６１５は外歯太陽歯車として第１の歯車座６１１に枢設されている三つの第２の遊星歯車６１４、６１４、６１４と噛み合い、また三つ第２の遊星歯車６１４、６１４、６１４も内歯太陽歯車としての内歯歯車６２２と噛み合っている。即ち、第１の歯車座６１１と、第２の歯車座６１２、第１の遊星歯車６１３と、第２の遊星歯車６１４と、第２の中心歯車６１５とからなる歯車セット６１に内歯歯車６２２及び第１の中心歯車６２１を加えると、二重の遊星歯車機構となる。
【００２８】
ちなみに、第１の固定部７１も外スリーブ５１により回転できるように挿通され、第１の歯車座６１１より上の位置で第１の歯車座６１１と共に掃除部３の上端３１を挟んで固定する。
【００２９】
ここで、図５を用いて二重の遊星歯車機構の外歯太陽歯車としての第１の中心歯車６２１、遊星キャリアとしての第２の歯車座６１２、第１の遊星歯車６１３、そして内歯太陽歯車としての内歯歯車６２２からなる遊星歯車機構の作動関係について詳しく説明する。
【００３０】
上記のように、第２のカム対偶９が前記長手方向に沿って下方から上方へ摺動すると、外スリーブ５１は所定方向に回転する。外スリーブ５１が回転すると第１の中心歯車６２１も同じく所定方向に回転する。三つの第１の遊星歯車６１３、６１３、６１３は第１の中心歯車６２１の回転に連動して前記所定方向の逆方向に回転し、そしてもし内歯歯車６２２は上記のように第１の制限部４３と第２の制限部８２の噛み合いによって回転できないようにされると、三つの第１の遊星歯車６１３、６１３、６１３は第１の中心歯車６２１を中心として公転運動して遊星キャリアとしての第２の歯車座６１２を回転させる。
【００３１】
この構成によって、作業者による第１の中心歯車６２１からの入力トルクは連動手段６の２段の遊星歯車機構によって増強されてより強力なトルクで掃除部３の上端３１を回転駆動するので、より省力的に掃除部３の水切りを行うことができる。
【００３２】
続いて、図６〜図８を用いてこの第１の実施形態のモップ装置の使用法についてまとめて説明する。図６〜図８はこの第１の実施形態のモップ装置の一連の水切り作業を示す説明図である。図６は第１の実施形態のモップ装置の水切り前の状態を概略に示し、図７は図６に続き、水切り作業始めた状態を示し、最後に図８は図７に続き、第２のカム対偶を上昇させた水切り作業の状態を示している。
【００３３】
図６に示すように、通常このモップ装置を使用して床などの掃除をする時、受け座４及び第１のカム対偶５は重力によって握り棒２の下端部に落ち、掃除部３の上下両端も接近し、モップが自然に周囲に展開して掃除に適する状態となっている。ちなみに、この時定位部材８はその固定突起８４を握り棒２の表面に形成されている凹部２４に嵌め込んでいるので、定位部材８の前記長手方向に沿う摺動が制止されて掃除を妨げることはない。
【００３４】
このモップ装置をの水切りを行う時、まずは図７に示すように、受け座４及び第１のカム対偶５だけ持ち上げると、握り棒２は自重で下方に落ちる。そして掃除部３の上下両端はそれぞれ受け座４及び第１のカム対偶５の間にある連動手段６と握り棒２の下端部に固定されているので、掃除部３を構成する複数のモップは引き伸ばされ握り棒２と略平行の状態となる。
【００３５】
それから、定位部材８を下へ移動し、受け座４の第１の制限部４３を第２の制限部８２内に挿入させて、第１のカム対偶５の第１の歯止部５４を第２の歯止部８３内に挿入し係止突起８３４を輪溝５４１に嵌め込ませて係合させる。これによって、該当のモップ装置は図８に示す状態となり、受け座４は定位部材８に対して摺動も回転もできないように固定され、第１のカム対偶５は定位部材８に対して摺動ができなくなりその所定方向の回転しかできないようになっている。
【００３６】
ここで、作業者は片手で握り７０を握り、他方の手で常時自重で第１のカム対偶５の下部に落ちている第２のカム対偶９を長手方向に沿って引き上げて、カム突起９１、９１を一対のカム溝５３内に移動させ、第１のカム対偶５を握り棒２に対して回動させて連動手段を回転駆動し、入力したトルクより増強されたトルクで掃除部３の上端３１を回転駆動して掃除部３の水切りを行う。
【００３７】
この作業において、本考案の第１のカム対偶５は定位部材８に対して所定方向の回転しかできないようになっているので、作業者は掃除部３の回復力に対抗して掃除部３のねじり具合を保持する必要がなくなり、休みを取りながら掃除部３を少しずつ絞っていくことができる。また、もし第２のカム対偶９のカム突起９１がカム溝５３の上死点に到達しても、カム溝５３に沿って第２のカム対偶９を下死点に戻し、また引き上げて第１のカム対偶５を回転させることもできる。
【００３８】
掃除部３に含んでいた水を絞り取った後、ラチェット８３１の突出している一端を押せば、第２の歯止部８３にあるばね手段８３２が圧縮されて直歯８３３と第１の歯止部５４のつめ歯車との噛み合いは解除され、係止突起８３４も輪溝５４１から引き抜けられたので、定位部材８と受け座４及び第１のカム対偶５の係合が解除され、第１のカム対偶５及び第１のカム対偶５に連動する連動手段６は自由に握り棒２に対して回転できるようになり、掃除部３はその回復によって図６に示す掃除できる展開状態に戻される。
【００３９】
続いて、図９を用いて本考案のモップ装置の第２の実施形態の構成について説明する。図９はこの第２の実施形態のモップ装置の縦断面図である。
【００４０】
図示する通り、この第２の実施形態のモップ装置は第１の実施形態とほぼ同じ構成をしており、第１の実施形態との違いは、定位部材８Ａと握り棒２Ａの係合、そして連動手段６Ａの構成にある。また、第１の実施形態と同じ構成を有する箇所は、同じ符号をつけてその説明を省略する。
【００４１】
この実施形態における握り棒２Ａは第１の実施形態における握り棒２と違って、丸棒であってその全長に渡って円形の断面をしており、環状の凹部２４下側の案内部の表面には前記長手方向に沿って上下延伸している摺動溝８３１を有している。定位部材８Ａの上段は第１の実施形態における定位部材８と同じく小径部であるが、内腔及び上端の開口８１１Ａは握り棒２Ａに対応して円形断面をしている。開口８１１Ａの内表面には同じく凹部２４に嵌め込むことができる固定突起２４が形成されており、摺動溝８３１に挿入することができる摺動ピン８５に挿通されている。定位部材８Ａの上段を挿通して摺動溝８３１に挿入する摺動ピン８５は定位部材８Ａの握り棒２Ａに対する回転を制止するが、その長手沿いの摺動はまだ摺動溝８３１の範囲内にできるので、第１の実施形態における握り棒２の案内部２３及び開口８１１の円形でない断面形状の対応と同じ役割を果たしている。
【００４２】
連動手段６Ａの構成は連動手段６を簡略化して一段だけの遊星歯車機構をなしている。詳しく説明すると、第２の歯車座と第２の遊星歯車と第２の中心歯車は省かれており、第１のカム対偶５の下端に形成されている浅い皿状の第１の中心歯車６２１は第１の歯車座６１１に枢設されている三つの第１の遊星歯車６１３Ａ、６１３Ａ、６１３Ａと噛み合って遊星キャリアである第１の歯車座６１１を回転駆動する。ちなみに、第１の固定部７１は同じく第１の歯車座６１１より上の位置で第１の歯車座６１１と共に掃除部３の上端３１を挟んでいる。
【００４３】
また、図１０に示すのは本考案のモップ装置の第１、第２の制限部、及び第１、第２の歯止部のもう一つの構成例である。本考案において、受け座の第１の制限部と定位部材の第２の制限部の対応、そして第１のカム対偶の第１の歯止部と定位部材の第２の歯止部の対応は、図１０に示すように、第１、第２の制限部を、第１の制限部４３Ｂに形成されたスプラインと、第２の制限部８２Ｂに形成されたスプライン溝とを形成することによって構成し、第１、第２の歯止部の対応は、全て同一方向へ斜めに突出している複数のつめ車５４Ｂからなる第１の歯止部と、定位部材８Ｂの下段の内周面に形成された輪歯車８３Ｂからなる第２の歯止部との噛み合いによって構成されることもできる。この場合、第１のカム対偶は、上記第１、第２の実施形態と違って、定位部材８Ｂと係合している際もまだ定位部材８Ｂに対して摺動できるが、定位部材８Ｂに対し所定方向へ回転不能に係合されていることは上記第１の、第２の実施形態と同じである。
【００４４】
更に、第１のカム対偶の外表面にカム突起を設け、そして第２のカム対偶内表面に該カム突起に対応するカム溝を設けることもできる。
【産業上の利用可能性】
【００４５】
上記構成による本考案のモップ装置は、連動手段及び第１の、第２の歯止部からなる戻り止め手段を備えているので、より省力的に掃除部の水切りを行うことができる上、作業者の操作によって回転した第１のカム対偶の回復運動（逆回転）は戻り止め手段によって制止されるので、作業者が両手とも離しても絞った掃除部は回復できないので、水を吸ったモップの水切り作業を楽に行うことができるモップ装置を提供することができる。
【図面の簡単な説明】
【００４６】
【図１】本考案のモップ装置の第１の実施形態の分解立体図である。
【図２】本考案のモップ装置の第１の実施形態の局部縦断側面図である。
【図３】図１中、要部の定位部材近傍で握り棒２及び受け座４、第１のカム対偶５との関係を拡大して示す。
【図４】図２におけるＩＶ−ＩＶ線に沿った横断面図、第２の歯止部の構成を示す。
【図５】図２におけるＶ−Ｖ線に沿った横断面図である。
【図６】第１の実施形態のモップ装置の水切り前の状態を概略に示す側面図である。
【図７】第１の実施形態のモップ装置の図６に続き水切り作業始めた状態を示す側面図である。
【図８】第１の実施形態のモップ装置の図７に続き第２のカム対偶を上昇させた水切り作業の状態を示す側面図である。
【図９】第２の実施形態のモップ装置の縦断面図である。
【図１０】本考案のモップ装置の第１の、第２の歯止部のもう一つの構成例である。
【図１１】従来の絞り装置付きモップ装置例の分解立体図である。
【図１２】同従来の絞り装置付きモップ装置例の側面図である。
【符号の説明】
【００４７】
２、２Ａ．．．握り棒
２１．．．握り棒の下端部
２２．．．握り棒の上端部
２３．．．案内部
２３１．．．摺動溝
２４．．．凹部
３．．．掃除部
３１．．．掃除部の上端
３２．．．掃除部の下端
４．．．受け座
４１．．．内スリーブ
４２．．．ギアケース
４２１．．．円板状つば
４２２．．．環状フェンス
４３．．．第１の制限部
５．．．第１のカム対偶
５１．．．外スリーブ
５３．．．カム溝
５４．．．第１の歯止部
５４１．．．輪溝
５４Ｂ．．．つめ車
６、６Ａ．．．連動手段
６１．．．歯車セット
６１１．．．第１の歯車座
６１２．．．第２の歯車座
６１３、６１３Ａ．．．第１の遊星歯車
６１４．．．第２の遊星歯車
６１５．．．第２の中心歯車
６２２．．．内歯歯車
６２１．．．第１の中心歯車
７．．．固定手段
７０．．．握り
７１．．．第１の固定部
７２、７３．．．第２の固定部
８、８Ａ．．．定位部材
８１１、８１１Ａ．．．開口
８２、８２Ｂ．．．第２の制限部
８３．．．第２の歯止部
８３Ｂ．．．輪歯車
８３０．．．開口
８３１．．．ラチェット
８３２．．．ばね手段
８３３．．．直歯
８３４．．．係止突起
８４．．．固定突起
８５．．．摺動ピン
９．．．第２のカム対偶
９１．．．カム突起
【図１】
0003125039.tif 000003
【図２】
0003125039.tif 000004
【図３】
0003125039.tif 000005
【図４】
0003125039.tif 000006
【図５】
0003125039.tif 000007
【図６】
0003125039.tif 000008
【図７】
0003125039.tif 000009
【図８】
0003125039.tif 000010
【図９】
0003125039.tif 000011
【図１０】
0003125039.tif 000012
【図１１】
0003125039.tif 000013
【図１２】
0003125039.tif 000014